(57)【要約】【課題】外壁部の横目地及び縦目地が交わる部位における止水を適正に実施する。【解決手段】横目地と縦目地とが交わる目地交わり部には、下外壁材１４の背面側への水の浸入を阻止する第１止水役物５１が設けられている。第１止水役物５１は、上外壁材の背面側となる背板部５１ａと、その背板部５１ａから上外壁材の下端面に沿って延びる下板部５１ｂと、背板部５１ａ及び下板部５１ｂに一体的に設けられ上外壁材の下端隅部を囲うようにして縦目地に沿って延びる目地側板部５１ｃと、を有しており、下板部５１ｂには下方に垂れて延びる垂れ板部５１ｄが設けられている。【選択図】      図６
2015094179.tif 000002
【特許請求の範囲】
【請求項１】
外壁部に複数の外壁材が並べて配置され、その複数の外壁材により、横目地とその横目地の端部から上方に延びる縦目地とが形成されており、
前記横目地の上方には上側の前記外壁材として上外壁材が設けられ、前記横目地を挟んで前記上外壁材の下方には下側の前記外壁材として下外壁材が設けられ、
前記各外壁材は上下方向に延びる中空部が形成された中空構造を有し、その中空部を通じて水の流下が可能となっている建物の壁構造であって、
前記横目地と前記縦目地とが交わる目地交わり部に、前記下外壁材の背面側への水の浸入を阻止する止水部材が設けられており、
前記止水部材は、前記上外壁材において前記外壁部の背後の側となる背板部と、その背板部から前記上外壁材の下端面に沿って延びる下板部と、前記背板部及び前記下板部に一体的に設けられ前記上外壁材の下端隅部を囲うようにして前記縦目地に沿って延びる目地側板部と、を有しており、前記下板部には下方に垂れて延びる垂れ板部が設けられていることを特徴とする建物の壁構造。
【請求項２】
前記止水部材において、前記背板部と前記下板部と前記目地側板部とはそれぞれが互いに交わっており、それら各板部の交わり部はその全域にわたって閉じられていることを特徴とする請求項１に記載の建物の壁構造。
【請求項３】
前記止水部材は、前記垂れ板部が前記下外壁材の前記中空部に挿し入れられた状態で設けられていることを特徴とする請求項１又は２に記載の建物の壁構造。
【請求項４】
前記下外壁材には、前記中空部を挟んで外壁面側となる部分と背面側となる部分とを繋ぐ繋ぎ部に、該下外壁材の上端面から延びるようにして切り込み溝が形成されており、
前記垂れ板部は、前記下外壁材の壁幅方向において前記下板部と同じ幅寸法を有する板部よりなり、前記切り込み溝に挿し入れられていることを特徴とする請求項３に記載の建物の壁構造。
【請求項５】
前記縦目地には上下方向に延びる長尺状の縦目地止水部材が設けられており、
前記止水部材は、前記目地側板部が、前記縦目地を挟んで対向する２つの外壁材の間において前記縦目地止水部材に押し付けられた状態で設けられていることを特徴とする請求項１乃至４のいずれか１項に記載の建物の壁構造。
【請求項６】
前記止水部材は、前記下板部よりも下方に、前記目地側板部に対して上下方向に直線状に並ぶようにして、前記下外壁材の縦目地側の側端面に当接する当接部を有していることを特徴とする請求項５に記載の建物の壁構造。
【請求項７】
前記横目地には、前記目地交わり部に設けられる止水部材以外に、その止水部材の横隣りの位置に別の止水部材が設けられており、
前記別の止水部材は、前記上外壁材の背面側となる背板部と、その背板部から前記上外壁材の下端面に沿って延びる下板部と、その下板部から下方に垂れて延びる垂れ板部と、を有しており、
それら隣合う止水部材には、両止水部材に跨るようにして、防水性を有するジョイントシートが貼り付けられていることを特徴とする請求項１乃至６のいずれか１項に記載の建物の壁構造。
【発明の詳細な説明】
【技術分野】
【０００１】
本発明は、建物の壁構造に関するものである。
【背景技術】
【０００２】
建物の外壁部は複数の外壁材により構成されており、その外壁部には縦目地と横目地とが形成されている。また、外壁部において中空部を有する中空構造の外壁材を用いた構成が実用化されており、その中空構造の外壁材を用いた外壁部の止水構造として、特許文献１に記載の技術が知られている。かかる技術では、上下の押出成形セメント板の間で屋外側と屋内側とに延在する水平部と、水平部の屋内側で起立する垂直部と、水平部の屋外側で垂下する垂下部と、垂下部の下端に形成された狭窄部と、水平部の下面から垂下された水返部とからなる水切材を横目地に配設している。また、上側の押出成形セメント板を硬質パッキンを介して水平支持片に支持し、上側の押出成形セメント板の背面と垂直部とに横ガスケットを挟持させ、水平支持片の下面と下側の押出成形セメント板との間にパッキン材を挟持させるものとしている。
【先行技術文献】
【特許文献】
【０００３】
【特許文献１】特開２００５−２９９３４５号公報
【発明の概要】
【発明が解決しようとする課題】
【０００４】
しかしながら、建物外壁部においては当然ながら横目地以外に縦目地が存在しており、横目地と縦目地とが交わる部位も存在している。この場合、横目地と縦目地とが交わる部位では、横目地側から縦目地側に雨水等が浸入することが考えられ、さらに縦目地に浸入した雨水等が屋内側に漏れ出ることが考えられる。つまり、縦目地には縦目地用の止水部材（長尺ガスケット等）が設けられてはいるが、横目地に沿って雨水等が流れることで縦目地用の止水部の背後に雨水等が回り込み、結果として屋内側に雨水等が浸入してしまうことが懸念される。
【０００５】
本発明は、上記事情に鑑みてなされたものであり、外壁部の横目地及び縦目地が交わる部位における止水を適正に実施することができる建物の壁構造を提供することを主たる目的とするものである。
【課題を解決するための手段】
【０００６】
以下、上記課題を解決するのに有効な手段等につき、必要に応じて作用、効果等を示しつつ説明する。なお以下においては、理解の容易のため、発明の実施の形態において対応する構成の符号を括弧書き等で適宜示すが、この括弧書き等で示した具体的構成に限定されるものではない。
【０００７】
第１の発明は、
外壁部（１１）に複数の外壁材（１２〜１４）が並べて配置され、その複数の外壁材により、横目地（１６）とその横目地の端部から上方に延びる縦目地（１５）とが形成されており、
前記横目地の上方には上側の前記外壁材として上外壁材（１３）が設けられ、前記横目地を挟んで前記上外壁材の下方には下側の前記外壁材として下外壁材（１４）が設けられ、
前記各外壁材は上下方向に延びる中空部（２１）が形成された中空構造を有し、その中空部を通じて水の流下が可能となっている建物の壁構造であって、
前記横目地と前記縦目地とが交わる目地交わり部に、前記下外壁材の背面側への水の浸入を阻止する止水部材（５１）が設けられており、
前記止水部材は、前記上外壁材において前記外壁部の背後の側となる背板部（５１ａ）と、その背板部から前記上外壁材の下端面に沿って延びる下板部（５１ｂ）と、前記背板部及び前記下板部に一体的に設けられ前記上外壁材の下端隅部を囲うようにして前記縦目地に沿って延びる目地側板部（５１ｃ）と、を有しており、前記下板部には下方に垂れて延びる垂れ板部（５１ｄ）が設けられていることを特徴とする。
【０００８】
建物の外壁部において横目地と縦目地とが交わる部位では、横目地側から縦目地側に雨水等が浸入することで、その縦目地から外壁部の背後の側（例えば外壁材の背面側）に雨水等の浸入が生じることが懸念される。特に中空構造の外壁材を用い、その中空部での水の流下を許容している構成ではこうした不都合の発生が大いに懸念される。この点に関し、横目地と縦目地とが交わる目地交わり部に止水部材を設け、その止水部材を、上外壁材において外壁部の背後の側となる背板部と、その背板部から上外壁材の下端面に沿って延びる下板部と、背板部及び下板部に一体的に設けられ上外壁材の下端隅部を囲うようにして縦目地に沿って延びる目地側板部と、を有するものとし、さらに下板部には下方に垂れて延びる垂れ板部を設けた。
【０００９】
かかる構成によれば、止水部材は、上外壁材において背面、下面、及び側面からなる頂点部分（又は外壁面、下面、及び側面からなる頂点部分）の付近を包むように配置され、その頂点部分の付近において外壁部の背後の側及び縦目地側への水の流れを阻止することができる。また、下板部から垂れ下がる垂れ板部によって、下外壁材の上面側における水の流れが遮断される。以上により、外壁部の背後の側（例えば外壁材の背面側）に雨水等が浸入することを防止できる。その結果、外壁部の横目地及び縦目地が交わる部位における止水を適正に実施することができる。
【００１０】
第２の発明は、前記止水部材において、前記背板部と前記下板部と前記目地側板部とはそれぞれが互いに交わっており、それら各板部の交わり部はその全域にわたって閉じられていることを特徴とする。
【００１１】
上記構成によれば、止水部材において背板部と下板部と目地側板部とにより袋状の部分（例えば三面による立体部分）を形成でき、その袋状の部分により、上外壁材において背面、下面、及び側面からなる頂点部分の付近を包むようにすることができる。したがって、上外壁材の中空部を通じて流下してきた雨水等について縦目地への浸入を防止できる構成を実現できる。
【００１２】
第３の発明は、前記止水部材は、前記垂れ板部が前記下外壁材の前記中空部に挿し入れられた状態で設けられていることを特徴とする。
【００１３】
上記構成によれば、止水部材の垂れ板部が下外壁材の中空部に挿し入れられていることで、仮に雨水等が下外壁材の上面を伝って流れたとしても、その雨水等の流れが止水部材の垂れ板部で遮断され、さらに雨水等が下外壁材の中空部に案内される。これにより、横目地及び縦目地の交わり部において所望の止水性能を実現できる。
【００１４】
第４の発明は、前記下外壁材には、前記中空部を挟んで外壁面側となる部分と背面側となる部分とを繋ぐ繋ぎ部（２４）に、該下外壁材の上端面から延びるようにして切り込み溝（２５）が形成されており、前記垂れ板部は、前記下外壁材の壁幅方向において前記下板部と同じ幅寸法を有する板部よりなり、前記切り込み溝に挿し入れられていることを特徴とする。
【００１５】
下外壁材の上端部に切り込み溝が形成されている構成では、止水部材の垂れ板部を長尺状の板部で構成したとしても下外壁材の繋ぎ部との干渉が生じず、下外壁材の上面での水の流れを遮断する上では好適なものとなる。ただし、切り込み溝を通じて雨水等が縦目地内に浸入することが懸念される。この点、止水部材における上記構成によれば、縦目地への雨水等の流れ込みが生じにくいものとなっており、やはり所望の止水性能を実現できるものとなる。
【００１６】
第５の発明は、前記縦目地には上下方向に延びる長尺状の縦目地止水部材（３７）が設けられており、前記止水部材は、前記目地側板部が、前記縦目地を挟んで対向する２つの外壁材の間において前記縦目地止水部材に押し付けられた状態で設けられていることを特徴とする。
【００１７】
縦目地に長尺状の縦目地止水部材が設けられている構成では、その縦目地止水部材よりも背面側に雨水等が流れないようにすることが望ましい。この点、目地側板部を、縦目地を挟んで対向する２つの外壁材の間において縦目地止水部材に押し付けた状態で設ける構成としたため、縦目地内において縦目地止水部材よりも背面側に雨水等が流れないようにすることができる。
【００１８】
第６の発明は、前記止水部材は、前記下板部よりも下方に、前記目地側板部に対して上下方向に直線状に並ぶようにして、前記下外壁材の縦目地側の側端面に当接する当接部（５１ｈ）を有していることを特徴とする。
【００１９】
目地交わり部に止水部材を設けた場合において、止水部材の目地側板部と縦目地止水部材とが離れていてそれら両者間に隙間ができていたり、目地側板部により縦目地止水部材が局部的に押し潰されることで目地側板部の上下部分に隙間が形成されたりすると、それらの隙間から縦目地内に水の浸入が生じると考えられる。この点、上記構成では、止水部材において、目地側板部とその下方の当接部とが上下方向に直線状に並べて設けられていることから、当接部を下外壁材の縦目地側の側端面に当接させれば、目地側板部が、下外壁材の側端面から真上に延びるように配置され、上外壁材の側端面に当接した状態で配置されることにもなる。つまり、壁幅方向における止水部材の位置決めが可能となる。この場合、縦目地止水部材との位置関係において止水部材を適正位置に配置でき、ひいては止水性能の向上を図ることができる。
【００２０】
第７の発明は、前記横目地には、前記目地交わり部に設けられる止水部材以外に、その止水部材の横隣りの位置に別の止水部材（５２）が設けられており、前記別の止水部材は、前記上外壁材の背面側となる背板部（５２ａ）と、その背板部から前記上外壁材の下端面に沿って延びる下板部（５２ｂ）と、その下板部から下方に垂れて延びる垂れ板部（５２ｃ）と、を有しており、それら隣合う止水部材には、両止水部材に跨るようにして、防水性を有するジョイントシート（５３）が貼り付けられていることを特徴とする。
【００２１】
ジョイントシートを用いる構成にすれば、各止水部材が互いに分割されて設けられる構成において、各止水部材の境界部の止水を好適に実施できる。
【図面の簡単な説明】
【００２２】
【図１】外壁部における外壁材の配置を示す正面図。
【図２】外壁材の中空構造を説明するための斜視図。
【図３】図１のＡ−Ａ線断面図。
【図４】図１のＢ−Ｂ線断面図。
【図５】上外壁材を取り付ける前の壁構造を示す斜視図。
【図６】上外壁材を取り付ける前の壁構造を示す斜視図。
【図７】各止水役物の構成を示す斜視図。
【図８】上外壁材を取り付ける前の壁構造を示す斜視図。
【図９】外壁材の配置について別の構成を示す正面図。
【図１０】図９のＣ−Ｃ線断面図。
【図１１】外壁材の配置について別の構成を示す斜視図。
【図１２】止水役物の構成を示す斜視図。
【図１３】外壁部において止水役物を外壁材の凹部に取り付けた状態を示す斜視図。
【発明を実施するための形態】
【００２３】
以下、本発明を具体化した一実施形態を図面に基づいて説明する。本実施形態では、鉄骨軸組工法により構築される建物において、その外壁部の構造について詳しく説明する。
【００２４】
図１は、建物の外壁部１１を屋外側から見た正面図であり、その外壁部１１には３枚の外壁材１２，１３，１４が示されている。図示の構成では、外壁材１２に横隣りとなる位置に上下に並べて外壁材１３，１４が配置されている。この場合、外壁材１２と外壁材１３，１４との間に縦目地１５が形成されるとともに、上下の外壁材１３，１４の間に横目地１６が形成されている。これら各目地１５，１６は横向きのＴ字状をなすように設けられ、横目地１６の端部が縦目地１５に連続するものとなっている。本実施形態では、外壁材１３を「上外壁材１３」、外壁材１４を「下外壁材１４」とも言うこととする。
【００２５】
図２に示すように、各外壁材１２〜１４は、いずれもコンクリート押出成形材からなり、上下方向に延びる中空部２１が形成された中空構造の壁面材である。各外壁材１２〜１４は、中空部２１を挟んで外壁面側が外側壁肉部２２、背面側が内側壁肉部２３となっている。外側壁肉部２２の表面は、上下、左右方向に凹凸（彫り）が付された凹凸部となっている。周知構成のため詳しい説明は略すが、建物の躯体（梁や柱等の構造体）に対する各外壁材１２〜１４の取り付けは、中空部２１内に取り付けられる取付金具等を用いて行われるようになっている。
【００２６】
中空部２１は、外側壁肉部２２と内側壁肉部２３とを繋ぐ中間繋ぎ部２４で分断される複数の空間部により構成されている。そして、各外壁材１２〜１４の上端部において各中間繋ぎ部２４には、所定深さの切り込み溝２５が直線状に並ぶようにしてそれぞれ形成されている。なお、切り込み溝２５は全ての外壁材１２〜１４に設けられていなくてもよく、少なくとも横目地１６の下方となる下外壁材１４に設けられていればよい。
【００２７】
次に、外壁部１１の止水構造について概要を説明する。図３は図１のＡ−Ａ線断面図であり、これは横目地１６における止水構造を示す縦断面図である。また、図４は図１のＢ−Ｂ線断面図であり、これは縦目地１５における止水構造を示す横断面図である。なお、図４では便宜上、横目地用の止水材の図示を省略している。
【００２８】
図３において、上下に並ぶ外壁材１３，１４の間の横目地１６には、湿式の止水部材よりなる一次止水材３１（コーキング材による不定形シール）と、例えば合成樹脂製の薄板により立体成形されてなる二次止水材３２と、これら両止水材３１，３２の間に位置する一次バッカー３３とが設けられている。この場合、各外壁材１３，１４の中空部２１は雨水等を流下させる流下経路を形成するものとなっており、二次止水材３２は、上外壁材１３の中空部２１内を流下する雨水等が、上下の外壁材１３，１４における内側壁肉部２３の間を通じて外壁材１３，１４の背面側に浸入することを防止する役目を有する。また、一次バッカー３３は、二次止水材３２に当接する当接面側に凹凸が形成されて波形状となっており（図示は略す）、その凹み部を通じて、上外壁材１３の中空部２１内を流下する雨水等を下外壁材１４の中空部２１内に案内する役目を有するものである。
【００２９】
二次止水材３２は、上外壁材１３とその上外壁材１３を支持するための壁支持部材３４との間に設けられており、その下端部（後述する垂れ板部５１ｄ）が、下外壁材１４の中空部２１に挿し入れられた状態で取り付けられている。壁支持部材３４はＬ形のアングル材よりなり、鉛直部を上外壁材１３の背面側、水平部を上外壁材１３の下面側に配置させ、その状態で、図示しない取付金具やボルト等により壁支持部材３４に上外壁材１３が固定されるようになっている。なお、二次止水材３２の詳細については後述する。
【００３０】
また、図４において、左右に並ぶ外壁材１２，１４の間（外壁材１２，１３の間も同様）の縦目地１５には、横目地１６の一次止水材３１と同じ構成の一次止水材３６と、硬質ゴム製の長尺材よりなる縦目地ガスケット３７とが設けられている。縦目地ガスケット３７は、平面視において切り込み溝２５と横並びとなる位置に設けられている。縦目地ガスケット３７は、弾性変形可能な複数のヒレ状の突部を有する縦目地止水部材であり、切り込み溝２５から横目地１６内に雨水等が流れ出た場合には、縦目地ガスケット３７のヒレ間の隙間を通じて雨水等が下方に流下するものとなっている。
【００３１】
なお、縦目地１５において外壁材１２，１３の背面付近には、ロックウール等よりなる長尺状の防火材３８が設けられている。
【００３２】
本実施形態では横目地１６に設けられた二次止水材３２を要部構成としており、その詳細な構成を、図５〜図８を用いて以下に説明する。
【００３３】
図５は、外壁材１２の横に下外壁材１４を並べて配置した状態を示す斜視図である。図５では、下外壁材１４の上方に、上外壁材１３を支持するための壁支持部材３４が取り付けられている。図示は略すが、この壁支持部材３４は、建物の躯体（梁や柱等の構造体）に対して固定されている。
【００３４】
そして、図６（ａ）、（ｂ）に示すように、壁支持部材３４に対して、横目地用の二次止水材３２が取り付けられる。図示の構成では、二次止水材３２として、２つに分割した止水役物５１，５２を用いることとしており、これら各止水役物５１，５２が壁支持部材３４に個別に取り付けられる。止水役物５１，５２のうち第１止水役物５１は、横目地１６において縦目地１５との交わり部に取り付けられるものであり、第２止水役物５２は、第１止水役物５１に横並びに取り付けられるものである。これら各止水役物５１，５２は、例えば比較的薄肉であって弾性を有するポリプロピレン等の樹脂板、又はアルミや鉄等の金属板にて一体成形されている。
【００３５】
各止水役物５１，５２の構成を図７に個別に示す。図７（ａ）に示すように、第１止水役物５１は、上外壁材１３の背面側（外壁部の背後の側に相当）となる背板部５１ａと、その背板部５１ａから上外壁材１３の下端面に沿って延びる下板部５１ｂと、背板部５１ａ及び下板部５１ｂに一体的に設けられ上外壁材１３の下端隅部を囲うようにして縦目地１５に沿って延びる目地側板部５１ｃと、を有している。また、下板部５１ｂには下方に垂れて延びる垂れ板部５１ｄが設けられている。なお、背板部５１ａ、目地側板部５１ｃ、垂れ板部５１ｄはいずれも、壁側（壁支持部材３４）への取り付け状態で鉛直方向に延びる鉛直板部であり、下板部５１ｂは、壁側（壁支持部材３４）への取り付け状態で水平方向に延びる水平板部である。
【００３６】
背板部５１ａは、壁支持部材３４の鉛直部に当接される鉛直当たり部であり、下板部５１ｂは、壁支持部材３４の水平部に当接される水平当たり部であり、目地側板部５１ｃは、縦目地ガスケット３７に押し付けられる縦目地側押し付け部である。また、垂れ板部５１ｄは、下外壁材１４の中空部２１（切り込み溝２５を含む）に挿し入れられる挿し入れ部である。垂れ板部５１ｄは、下外壁材１４の壁幅方向において下板部５１ｂと同じ幅寸法を有しており、言うなれば壁幅方向に長尺な板部となっている。
【００３７】
この場合特に、第１止水役物５１において、背板部５１ａと下板部５１ｂと目地側板部５１ｃとはそれぞれが互いに直交するように交わっており、それら各板部５１ａ〜５１ｃが相互に交わる交わり部はその全域にわたって閉じられている。つまり、目地側板部５１ｃは、その直交する二辺（鉛直、水平の各辺）が背板部５１ａと下板部５１ｂとにそれぞれ連続するようにして形成されている。これにより、第１止水役物５１において背板部５１ａと下板部５１ｂと目地側板部５１ｃとにより袋状の部分（三面による立体部分）を形成でき、その袋状の部分により、上外壁材１３において背面、下面、及び側面からなる頂点部分の付近が包まれるようになっている。
【００３８】
また、第１止水役物５１において、背板部５１ａの下端部（下板部５１ｂとの繋ぎ部分）には斜め方向に延び、隅部の面取りがなされた面取り部５１ｅが設けられている。また、背板部５１ａ及び目地側板部５１ｃのそれぞれの上端部には、上外壁材１３の取り付け時において、その上外壁材１３を所定位置に配置しやすくするための案内部５１ｆ，５１ｇが設けられている。案内部５１ｆ，５１ｇは、下板部５１ｂとは反対側に斜めに折り曲げられて構成されており、上外壁材１３の取り付け時において上外壁材１３の下端部が第１止水役物５１の上端縁に当たりにくくなっている。この意味からすれば、案内部５１ｆ，５１ｇは当たり回避部であるとも言える。また、上外壁材１３の取り付け時にその上外壁材１３が第１止水役物５１に当たった場合には、案内部５１ｆ，５１ｇの傾斜により上外壁材１３が第１止水役物５１の内側に向けて案内されるようになっている。
【００３９】
なお本実施形態では、上外壁材１３が取り付けられた後に縦目地１５に縦目地ガスケット３７が装着された状態では、その縦目地ガスケット３７により案内部５１ｇが押され、それにより、案内部５１ｇが目地側板部５１ｃと面一になるよう変形するものとなっている。
【００４０】
さらに、第１止水役物５１は、下板部５１ｂよりも下方に、目地側板部５１ｃに対して上下方向に直線状に（すなわち面一で）並ぶようにして、下外壁材１４の縦目地１５側の側端面に当接する当接板部５１ｈを有している。当接板部５１ｈは、下板部５１ｂと垂れ板部５１ｄとにそれぞれ連続するようにして形成されている。
【００４１】
また、図７（ｂ）に示すように、第２止水役物５２は、上外壁材１３の背面側となる背板部５２ａと、その背板部５２ａから上外壁材１３の下端面に沿って延びる下板部５２ｂと、その下板部５２ｂから下方に垂れて延びる垂れ板部５２ｃと、を有している。なお、背板部５２ａは、壁支持部材３４の鉛直部に当接される鉛直当たり部であり、下板部５２ｂは、壁支持部材３４の水平部に当接される水平当たり部である。また、垂れ板部５２ｃは、下外壁材１４の中空部２１（切り込み溝２５を含む）に挿し入れられる挿し入れ部である。
【００４２】
また、第２止水役物５２において、背板部５２ａの下端部（下板部５２ｂとの繋ぎ部分）には斜め方向に延び、隅部の面取りがなされた面取り部５２ｄが設けられている（第１止水役物５１の面取り部５１ｅと同様）。また、背板部５２ａの上端部には、上外壁材１３の取り付け時において、その上外壁材１３を所定位置に配置しやすくするための案内部５２ｅが設けられている（第１止水役物５１の案内部５１ｆと同様）。
【００４３】
そして、こうした構成の止水役物５１，５２が、図６（ａ）、（ｂ）に示すように取り付けられている。このとき、第１止水役物５１は、当接板部５１ｈが下外壁材１４の縦目地１５側の側端面に当接するようにして取り付けられている。また、下外壁材１４の中空部２１（切り込み溝２５を含む）に垂れ板部５１ｄ，５２ｃが挿し入れられている。各止水役物５１，５２は、互いに重ね合わせられないようにして（すなわち互いに離間させて）配置される。また、各止水役物５１，５２は、接着剤や接着テープを用いて壁支持部材３４に対して適宜貼り付けられているとよい。
【００４４】
さらに、各止水役物５１，５２が取り付けられた状態で、図８に示すように、止水役物同士の境界部分にジョイントシート５３が貼り付けられる。ジョイントシート５３は、片面接着タイプの帯状の防水粘着シートであり、止水役物５１，５２の境界部に貼着される。つまり、ジョイントシート５３は、隣り合う各止水役物５１，５２に跨るようにして貼り付けられている。このとき、各止水役物５１，５２に面取り部５１ｅ，５２ｄが設けられていることから、各止水役物５１，５２の入隅部分にジョイントシート５３を貼り付ける際においてその入隅部分にピンホールが生じにくくなっている。
【００４５】
そして、下外壁材１４の上に上外壁材１３が取り付けられる。このとき、上外壁材１３の背面を各止水役物５１，５２に当接させた状態で、図示しない取付金具とボルト等の固定具とを用いて、壁支持部材３４に対して上外壁材１３が固定される。上外壁材１３の取り付けにより、各止水役物５１，５２が上外壁材１３の背面から下方又は側方に延出する状態となり、さらに一次バッカー３３や一次止水材３１の施工が行われる（図３参照）。その後、縦目地１５において縦目地ガスケット３７や一次止水材３６の施工が行われる（図４参照）。
【００４６】
以上詳述した本実施形態によれば、以下の優れた効果が得られる。
【００４７】
横目地１６と縦目地１５とが交わる目地交わり部に第１止水役物５１を設け、その第１止水役物５１を、上外壁材１３の背面側となる背板部５１ａと、その背板部５１ａから上外壁材１３の下端面に沿って延びる下板部５１ｂと、背板部５１ａ及び下板部５１ｂに一体的に設けられ上外壁材１３の下端隅部を囲うようにして縦目地１５に沿って延びる目地側板部５１ｃと、を有するものとし、さらに下板部５１ｂには下方に垂れて延びる垂れ板部５１ｄを設けた。
【００４８】
かかる構成によれば、第１止水役物５１は、上外壁材１３において背面、下面、及び側面からなる頂点部分の付近を包むように配置され、その頂点部分の付近において外壁部１１の背後の側及び縦目地１５側への水の流れを阻止することができる。また、下板部５１ｂから垂れ下がる垂れ板部５１ｄによって、下外壁材１４の上面側における水の流れが遮断される。以上により、外壁部１１の背後の側に雨水等が浸入することを防止できる。その結果、外壁部１１の横目地１６及び縦目地１５が交わる部位における止水を適正に実施することができる。
【００４９】
第１止水役物５１において背板部５１ａと下板部５１ｂと目地側板部５１ｃとにより袋状の部分を形成し、その袋状の部分により、上外壁材１３において背面、下面、及び側面からなる頂点部分の付近を包むようにした。したがって、上外壁材１３の中空部２１を通じて流下してきた雨水等について縦目地１５への浸入を防止できる構成を実現できる。
【００５０】
第１止水役物５１の垂れ板部５１ｄが下外壁材１４の切り込み溝２５に挿し入れられる構成としたため、仮に雨水等が下外壁材１４の上面を伝って流れたとしても、その雨水等の流れが第１止水役物５１の垂れ板部５１ｄで遮断され、さらに下外壁材１４の中空部２１に案内される。これにより、横目地１６及び縦目地１５の交わり部において所望の止水性能を実現できる。
【００５１】
縦目地１５に長尺状の縦目地ガスケット３７が設けられている構成では、その縦目地ガスケット３７よりも背面側に雨水等が流れないようにすることが望ましい。この点、第１止水役物５１の目地側板部５１ｃを、縦目地１５を挟んで対向する２つの外壁材１２，１３の間において縦目地ガスケット３７に押し付けた状態で設ける構成としたため、縦目地１５内において縦目地ガスケット３７よりも背面側に雨水等が流れないようにすることができる。
【００５２】
目地交わり部に第１止水役物５１を設けた場合において、目地側板部５１ｃと縦目地ガスケット３７とが離れていてそれら両者間に隙間ができていたり、目地側板部５１ｃにより縦目地ガスケット３７が局部的に押し潰されることで目地側板部５１ｃの上下部分に隙間が形成されたりすると、それらの隙間から縦目地１５内に水の浸入が生じると考えられる。この点、上記構成では、第１止水役物５１において、目地側板部５１ｃとその下方の当接板部５１ｈとが上下方向に直線状に並べて設けられていることから、当接板部５１ｈを下外壁材１４の縦目地１５側の側端面に当接させれば、目地側板部５１ｃが、下外壁材１４の側端面から真上に延びるように配置され、上外壁材１３の側端面に当接した状態で配置されることにもなる。この場合、縦目地ガスケット３７との位置関係において第１止水役物５１を適正位置に配置でき、ひいては止水性能の向上を図ることができる。
【００５３】
隣合う止水役物５１，５２に跨るようにして防水性のジョイントシート５３を貼り付ける構成としたため、各止水役物５１，５２が互いに分割されて設けられる構成において、各止水役物５１，５２の境界部の止水を好適に実施できる。
【００５４】
［他の実施形態］
本発明は上記実施形態の記載内容に限定されず、例えば次のように実施されてもよい。
【００５５】
・外壁部１１において各外壁材の配置は変更可能であり、例えば図９に示すように外壁材６１，６２を配置する構成であってもよい。図９では、Ｌ字状の外壁材６１と、その外壁材６１の切欠部６１ａ（凹所）に配置される外壁材６２とを有する構成であり、これらの外壁材６１，６２により縦目地６３と横目地６４とが形成されている。本実施形態では、これら各目地６３，６４はＬ字状をなすように設けられている。外壁材６２が「上外壁材」、外壁材６１において切欠部６１ａよりも下方の部分６１ｂが「下外壁材」に相当する。
【００５６】
図１０は図９のＣ−Ｃ線断面図であり、これは横目地６４に沿う切断線において縦目地６３の止水構造を示す横断面図である。なお、図１０では、既述の図４と同様の構成については同じ符号を付して説明を省略している。また便宜上、横目地用の止水材の図示を省略するが、二次止水材３２としての第１止水役物５１を破線にて示している。
【００５７】
図１０の構成では、既述の実施形態と比べて、各目地６３，６４が交わる目地交わり部に第１止水役物５１が設けられることは同様であるが、縦目地ガスケット３７と第１止水役物５１との位置関係が相違している。つまり、既述の構成では、上外壁材１３の側端面と縦目地ガスケット３７との間に第１止水役物５１の目地側板部５１ｃを配置していたのに対し、図１０の構成では、上外壁材６２の側端面に縦目地ガスケット３７を直接当て、その横隣りの外壁材６１の側端面と縦目地ガスケット３７との間に第１止水役物５１の目地側板部５１ｃを配置している。この場合、縦目地ガスケット３７は、背板部５１ａと下板部５１ｂと目地側板部５１ｃとにより袋状に形成された部分の内側に配置される。なお、図１０の構成を採用する場合には、第１止水役物５１において目地側板部５１ｃの上下に各々設けられる案内部５１ｇ、当接板部５１ｈを省略した構成であってもよい。
【００５８】
その他、外壁部１１としては、上下及び左右に配置される４枚の外壁材により十字状をなす縦目地及び横目地が形成される構成であってもよい。この場合には、縦目地を挟んで両側に第１止水役物５１が配設されるとよい。
【００５９】
・外壁部において複数の外壁材を互いに交差する方向に並べた構成について説明する。図１１は、外壁材７１，７２の配置を示す図であり、本構成はキャンチバルコニーの外装構造をなすものである。
【００６０】
外壁材７１は略矩形の切欠部７１ａを有し、その切欠部７１ａにおける入隅部分には凹部７１ｂが形成されている。凹部７１ｂの幅は、外壁材の厚み寸法よりも大きく、その凹部７１ｂは、当該外壁材７１に直交する向きで外壁材７２を挿入配置するための挿入部となっている。外壁材７１，７２はいずれも図の手前側が外壁面である。この場合、外壁材７２の外壁面の側に縦目地が形成され、外壁材７２の下方に横目地が形成されている。本構成では、外壁材７２が「上外壁材」、外壁材７１において凹部７１ｂの下方部分が「下外壁材」に相当する。そして、凹部７１ｂに目地止水のための止水役物７４が設けられている。
【００６１】
図１２は、止水役物７４の構成を示す斜視図であり、図１３（ａ）、（ｂ）は、外壁部において止水役物７４を外壁材７１の凹部７１ｂに取り付けた状態を示す斜視図である。図１２に示すように、止水役物７４は、上外壁材７２において側端面の奥側（外壁部の背後の側に相当）となる背板部７４ａと、その背板部７４ａから上外壁材７２の下端面に沿って延びる下板部７４ｂと、背板部７４ａ及び下板部７４ｂに一体的に設けられ上外壁材７２の下端隅部を囲うようにして縦目地に沿って延びる目地側板部７４ｃと、を有している。また、下板部７４ｂには下方に垂れて延びる垂れ板部７４ｄが設けられている。
【００６２】
背板部７４ａは、上外壁材７２の側端面と背面とに対向する二面よりなり、それらはいずれも鉛直方向に延びかつ互いに直交するものとなっている。また、下板部７４ｂは、中間部分に垂れ板部７４ｄが設けられることで段差状となり、背板部７４ａ及び目地側板部７４ｃに連続するものとなっている。
【００６３】
この場合特に、止水役物７４において、背板部７４ａと下板部７４ｂと目地側板部７４ｃとはそれぞれが互いに交わっており、それら各板部７４ａ〜７４ｃが相互に交わる交わり部はその全域にわたって閉じられている。これにより、止水役物７４において背板部７４ａと下板部７４ｂと目地側板部７４ｃとにより袋状の部分を形成でき、その袋状の部分により、上外壁材７２において外壁面、下面、及び側面からなる頂点部分の付近と、背面、下面、及び側面からなる頂点部分の付近とが包まれるようになっている。その他、面取り部や案内部の構成は既述のとおりであるため、説明は省略する。
【００６４】
そして、図１３（ａ）、（ｂ）に示すように、止水役物７４が外壁材７１の凹部７１ｂに取り付けられている。この場合、上外壁材７２の下方となる位置には、バルコニー外装部の構成としてキャンチ下部用の水切部材７６や見切り部材７７が設けられており、そのうち水切部材７６と止水役物７４とには両者に跨るようにして防水ジョイントシート７８が貼り付けられている。
【００６５】
・上記実施形態では、外壁材１２等の上端部に、各中空部２１に通じるように切り込み溝２５を形成したが（図２参照）、これを変更し、切り込み溝２５を形成しない構成であってもよい。この場合、第１止水役物５１の垂れ板部５１ｄには中間繋ぎ部２４に干渉しないように、干渉回避用の切欠が形成されているとよい。
【００６６】
・上記実施形態では、各止水役物５１，５２を樹脂や金属により一体成形する構成としたが、これに代えて、複数に分割された部片の接合により各止水役物５１，５２を構成することも可能である。この場合、部片相互の接合部は密接状態であることが要求される。
【００６７】
・上記実施形態では、鉄骨軸組工法により構築される建物について説明したが、これに限定されず、他の工法の建物にも適用できる。例えば、鉄骨ラーメン工法で構築されたユニット式建物にも適用できる。
【符号の説明】
【００６８】
１１…外壁部、１２〜１４…外壁材、１５…縦目地、１６…横目地、２１…中空部、２４…中間繋ぎ部、２５…切り込み溝、３７…縦目地ガスケット（縦目地止水部材）、５１…第１止水役物（止水部材）、５１ａ…背板部、５１ｂ…下板部、５１ｃ…目地側板部、５１ｄ…垂れ板部、５１ｈ…当接板部（当接部）、５２…第２止水役物（別の止水部材）、５３…ジョイントシート、６１，６２…外壁材、７１，７２…外壁材、７４…止水役物。
【図１】
2015094179.tif 000003
【図２】
2015094179.tif 000004
【図３】
2015094179.tif 000005
【図４】
2015094179.tif 000006
【図５】
2015094179.tif 000007
【図６】
2015094179.tif 000008
【図７】
2015094179.tif 000009
【図８】
2015094179.tif 000010
【図９】
2015094179.tif 000011
【図１０】
2015094179.tif 000012
【図１１】
2015094179.tif 000013
【図１２】
2015094179.tif 000014
【図１３】
2015094179.tif 000015